(57)【要約】【課題】取付ベースと設置部材との間への異物の侵入を抑制し得る遊技機を提供する。【解決手段】遊技盤の裏側に配設される設置部材２６の設置部３９に、配線を係止する配線フック４６や分割制御装置４４を保持する第２保持手段４５が設けられる。設置部３９に、配線フック４６や第２保持手段４５の後方を覆うように取付ベース３７が取り付けられる。取付ベース３７の後側に、主制御装置３６が取り付けられる。取付ベース３７におけるベース板４７の上縁部と設置部３９との対向部間に隙間Ｇが画成される。設置部３９に配設された閉塞部材６１が、隙間Ｇに位置して該隙間Ｇを塞いでいる。【選択図】図５
2014223212.tif 000002
【特許請求の範囲】
【請求項１】
前側に遊技領域が画成された遊技盤と、該遊技盤の裏側に配設され、遊技盤に設けた可視部を介して図柄を変動表示可能な表示部が前側に臨む図柄表示装置と、遊技盤の裏側に配設され、設置部に各種遊技機構成部品を保持する保持手段が後方に向けて突設された設置部材とを備え、該設置部材の前記設置部の後方に制御装置が配設される遊技機において、
前記保持手段の後方を覆うように設置部材に配設され、前記制御装置が裏側に取り付けられる取付ベースと、
前記取付ベースの縁部と設置部との対向部間の隙間に位置し、設置部と取付ベースとの間に画成される空間部への異物の侵入を抑制する侵入抑制手段とを備えた
ことを特徴とする遊技機。
【請求項２】
前記侵入抑制手段に、前記空間部の内外方向に開口する配線挿通部が設けられ、該配線挿通部の開口寸法は、配線挿通部に挿通された配線と配線挿通部の内周面との間の隙間の幅が遊技球１個分より小さくなるように設定される請求項１記載の遊技機。
【請求項３】
前記侵入抑制手段を構成し、前記配線挿通部が設けられた閉塞部材は、前記設置部材に配設されている請求項２記載の遊技機。
【請求項４】
前記侵入抑制手段を構成し、前記配線挿通部を設けていない閉塞部材は、前記取付ベースに設けられている請求項２または３記載の遊技機。
【請求項５】
前記設置部材と取付ベースとを連結し、該取付ベースの設置部材からの取り外しを阻止する連結手段を備え、
該連結手段は、設置部材と取付ベースとを連結した後の連結解除が困難に構成されている請求項１〜４の何れか一項に記載の遊技機。
【発明の詳細な説明】
【技術分野】
【０００１】
本発明は、遊技盤の裏側に制御装置が配設された遊技機に関するものである。
【背景技術】
【０００２】
パチンコ機等に代表される遊技機は、機体を構成する中枠(本体枠)と、該中枠に設けられた遊技盤保持部に着脱自在に組み付けられる遊技盤とを備えている。前記遊技盤は、合板製や合成樹脂等から略矩形に形成された板状部材であり、その前側に遊技領域が設けられると共に、その裏側に各種遊技部品が取り付けられる設置部材が着脱可能に配設されている。前記遊技領域内には、該遊技領域内を流下するパチンコ球が入賞可能な始動入賞装置、特別入賞装置、球案内部材および釘等が配設されている。また、前記設置部材には、遊技盤に形成された開口(可視部)を介して該遊技盤の前側から視認可能な図柄表示装置や、演出装置および発光装置等の電気部品等が取り付けられると共に、該設置部材には、遊技に関する主要な制御を行う主制御装置が配設されている(例えば、特許文献１参照)。
【先行技術文献】
【特許文献】
【０００３】
【特許文献１】特開２００６−１７５０９６号公報
【発明の概要】
【発明が解決しようとする課題】
【０００４】
前記設置部材の裏面には、各種電気部品に接続されて該設置部材の裏面に沿って引き回される配線を係止する配線フックや、各種電気部品を主制御装置や統括制御装置等に接続するために用いられる中継基板の取付部等が設けられており、該設置部材の裏面は平坦にはなっていない。また、設置部材の裏側に配線を引き回すための空間や中継基板を設置する空間を確保する必要から、設置部材に形成された配線フックや取付部等の後方を覆うように取付ベースを設置部材に配設し、該取付ベースに主制御装置を取り付けている。このため、取付ベースと設置部材の裏面との間には隙間が生じており、パチンコ機の上部に設けられた球タンクや島設備側の球補給装置から落下したパチンコ球が、前記隙間から設置部材と取付ベースとの間に入ってしまう不具合が発生するおそれがあった。
【０００５】
また、最近では、主制御装置の制御基板に接続する配線に不正基板(所謂、ぶら下がり基板)を接続する不正行為が行なわれることがあり、該不正基板を前記隙間を介して設置部材と取付ベースとの間に隠されると、該不正基板が発見し難くなるので被害が拡大する問題が指摘される。
【０００６】
すなわち本発明は、従来の技術に内在する前記問題に鑑み、これらを好適に解決するべく提案されたものであって、取付ベースと設置部材との間への異物の侵入を抑制し得る遊技機を提供することを目的とする。
【０００７】
前記課題を克服し、所期の目的を達成するため、本願の請求項１に係る発明は、
前側に遊技領域(12a)が画成された遊技盤(12)と、該遊技盤(12)の裏側に配設され、遊技盤(12)に設けた可視部(20a)を介して図柄を変動表示可能な表示部(14a)が前側に臨む図柄表示装置(14)と、遊技盤(12)の裏側に配設され、設置部(39)に各種遊技機構成部品(44)を保持する保持手段(45,46)が後方に向けて突設された設置部材(26)とを備え、該設置部材(26)の前記設置部(39)の後方に制御装置(36)が配設される遊技機において、
前記保持手段(45,46)の後方を覆うように設置部材(26)に配設され、前記制御装置(36)が裏側に取り付けられる取付ベース(37)と、
前記取付ベース(37)の縁部と設置部(39)との対向部間の隙間(G)に位置し、設置部(39)と取付ベース(37)との間に画成される空間部(S)への異物の侵入を抑制する侵入抑制手段(48,49,50,61)とを備えたことを要旨とする。
【０００８】
請求項１に係る発明によれば、取付ベースの縁部と設置部材における設置部との対向部間の隙間に、異物の侵入抑制手段を位置させているので、隙間を介して遊技球が取付ベースと設置部との間に入り込むのを防止することができる。また、隙間を介して取付ベースと設置部との間に不正基板を挿入して隠されるのを防ぐことができる。
【０００９】
請求項２に記載の発明では、前記侵入抑制手段(61)に、前記空間部(S)の内外方向に開口する配線挿通部(64,65,66)が設けられ、該配線挿通部(64,65,66)の開口寸法は、配線挿通部(64,65,66)に挿通された配線(H1,H2,H3,H4)と配線挿通部(64,65,66)の内周面との間の隙間の幅が遊技球１個分より小さくなるように設定されることを要旨とする。
請求項２に係る発明によれば、取付ベースと設置部材における設置部との間の空間部内に位置する電気部品と外部の電気部品とを、配線挿通部に挿通した配線によって電気的に接続することを許容すると共に、該配線挿通部を介して遊技球が空間部内に入り込むのを防ぐことができる。
【００１０】
請求項３に記載の発明では、前記侵入抑制手段を構成し、前記配線挿通部(64,65,66)が設けられた閉塞部材(61)は、前記設置部材(26)に配設されていることを要旨とする。
請求項３に係る発明によれば、空間部内に位置する電気部品と外部の電気部品とを配線挿通部に挿通した配線によって電気的に接続した状態で、取付ベースを設置部材に対して取り付けたり取り外すことが容易となる。
【００１１】
請求項４に記載の発明では、前記侵入抑制手段を構成し、前記配線挿通部(64,65,66)を設けていない閉塞部材(48,49,50)は、前記取付ベース(37)に設けられていることを要旨とする。
請求項４に係る発明によれば、各種遊技機構成部品を保持する保持手段が設けられる設置部の構成を簡略化することができる。
【００１２】
請求項５に記載の発明では、前記設置部材(26)と取付ベース(37)とを連結し、該取付ベース(37)の設置部材(26)からの取り外しを阻止する連結手段(71)を備え、
該連結手段(71)は、設置部材(26)と取付ベース(37)とを連結した後の連結解除が困難に構成されていることを要旨とする。
請求項５に係る発明によれば、連結手段を壊さない限り取付ベースを設置部材から取り外すことは困難であるので、不正基板を設置部材と取付ベースとの間の空間部に隠されるのを抑制し得る。また、連結手段を壊した場合は、新しい連結手段を取り付けない限り、該連結手段が無いことによって不正の痕跡が残るので、不正行為を発見することが容易である。
【発明の効果】
【００１３】
本発明に係る遊技機によれば、取付ベースと設置部材との間に異物が侵入するのを抑制することができる。
【図面の簡単な説明】
【００１４】
【図１】本発明の実施例に係るパチンコ機の概略正面図である。
【図２】実施例に係るパチンコ機の背面図である。
【図３】実施例に係る遊技盤を示す概略正面図である。
【図４】実施例に係る遊技盤における取付ベースの配設箇所を示す要部縦断面図である。
【図５】実施例に係る設置部材から閉塞部材、取付ベースおよび主制御装置を分解して後側から見た概略斜視図である。
【図６】実施例に係る閉塞部材、取付ベースおよび主制御装置を分解して前側から見た概略斜視図である。
【図７】実施例に係る設置部材の設置部を後側から見た概略斜視図である。
【図８】実施例に係る閉塞部材、取付ベースおよび主制御装置を組み付けた状態で示す図２のＡ−Ａ線に対応する位置での断面図である。
【図９】実施例に係る閉塞部材、取付ベースおよび主制御装置を組み付けた状態で示す図２のＢ−Ｂ線に対応する位置での断面図である。
【図１０】実施例に係る閉塞部材、取付ベースおよび主制御装置を組み付けた状態で示す図２のＣ−Ｃ線に対応する位置での断面図である。
【図１１】設置部材と取付ベースおよび主制御装置の連結構造の別の実施例を示す説明図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠１３が開閉および着脱可能に組み付けられて、該遊技盤１２の裏側に、各種図柄を変動表示可能な図柄表示装置１４が着脱可能に配設されている。また、前記中枠１３の前面側には、前記遊技盤１２を透視保護するガラス板や透明な合成樹脂材により形成された透視保護板で前後に開口する窓口１５ａを覆うよう構成された装飾枠としての前枠(機前面側を構成する前面部材)１５が開閉可能に組み付けられる。前枠１５の下部位置には、パチンコ球を貯留する上球受け皿１６および下球受け皿１７が上下に離間して前枠１５と一体的に開閉可能に設けられている。また前枠１５には、下球受け皿１７の側方に、前記中枠１３に配設された打球発射装置(図示せず)を作動する操作ハンドル１８が設けられ、該操作ハンドル１８の回動操作によって打球発射装置が作動されて、前記上球受け皿１６に貯留されたパチンコ球が前記遊技盤１２に向けて発射されるようになっている。なお、実施例では、前記図柄表示装置１４としては、複数の図柄を周面に形成した複数のドラム(表示部)１４ａを回転自在に備え(図３参照)、各ドラム１４ａを回転することで各種図柄の組み合わせを表示可能なドラム式の図柄表示装置が採用されるが、これに限られるものではなく、液晶式の図柄表示装置やドットマトリックス式の図柄表示装置等の各種図柄を停止および変動表示可能な従来公知の各種の図柄表示装置を採用し得る。
【００１７】
(中枠１３について)
前記中枠１３は、図２に示す如く、上側縁をなす上枠体１３ａと、下側縁をなし、打球発射装置や各種制御装置３１やインターフェース基板３３等が設置される合成樹脂製の下枠体１３ｂと、左側縁をなす第１側枠体１３ｃと、右側縁をなす第２側枠体１３ｄとから略矩形状に形成されている。そして外枠１１に対して中枠１３は、互いの正面左側上下に配設されたヒンジ機構で横開き開閉および着脱が可能に取り付けられ、正面右側に設けられた一般的な施錠装置を利用して常には外枠１１と係合された閉鎖状態に保持される。中枠１３には、４つの枠体１３ａ,１３ｂ,１３ｃ,１３ｄにより前後に開口する遊技盤保持部が画成され、該遊技盤保持部に遊技盤１２が着脱自在にセット保持される。なお、中枠１３は、上下・左右の枠体を一体で形成したものであってもよい。図１において、遊技盤１２の前面に配設されている各種の遊技部品は、後述する案内レール１９を除いて図示省略してある。
【００１８】
(遊技盤１２について)
前記遊技盤１２は、合板等の木製板部材の表面にセル板を配設したもの、あるいはアクリル板等の透明な合成樹脂材等からなる平板状の板部材で構成される。遊技盤１２の前面には、図３に示す如く、案内レール１９によって遊技領域１２ａが画成され、前記中枠１３に配設された打球発射装置から発射されたパチンコ球が遊技領域１２ａ内に打ち出され、該遊技領域１２ａ内をパチンコ球が流下して遊技が行なわれる。また遊技盤１２の前面には、遊技領域１２ａ内に枠状装飾部材２０、パチンコ球が入賞可能な始動入賞装置２１、特別入賞装置２２、普通入賞装置２３等の各種入賞装置および多数本の遊技釘２４や風車２５等の各種遊技部品が配設されている。遊技盤１２の裏側には、図柄表示装置１４、可動演出装置および発光装置等の各種の遊技部品が配設される合成樹脂材で形成された設置部材２６が配設される。そして、設置部材２６に形成された前後に開口する開口部２６ａおよび枠状装飾部材２０に形成した開口部(可視部)２０ａを介して図柄表示装置１４のドラム１４ａ(表示部)を前面側から視認し得るよう構成されている。
【００１９】
前記始動入賞装置２１は、図３に示す如く、枠状装飾部材２０の下側の遊技領域１２ａに臨むように設けられたものであって、該始動入賞装置２１は、始動入賞口２１ａ,２１ｂが上下の位置関係で２つ設けられている。ここで、上側の始動入賞口２１ａは、遊技領域１２ａ内で常に上方へ開口する常時開放タイプの入賞口とされている。また、下側の始動入賞口２１ｂを挟む左右両側には、該始動入賞口２１ｂを開閉可能に構成された開閉部材２１ｃ,２１ｃが設けられており、駆動手段としての始動入賞ソレノイド(図示せず)の駆動に伴って一対の開閉部材２１ｃ,２１ｃが始動入賞口２１ｂを閉鎖する閉鎖位置と開放する開放位置に変位するよう構成されている。始動入賞装置２１は、前記始動入賞口２１ａ,２１ｂに入賞したパチンコ球を検出する始動入賞検出センサ(図示せず)が、各始動入賞口２１ａ,２１ｂに対応して夫々設けられている。始動入賞検出センサは、後述する主制御装置３６に配線接続されており、始動入賞検出センサがパチンコ球を検出すると検出信号を主制御装置３６に出力し、主制御装置３６は、後述する払出し制御装置３１に制御信号を出力し、該払出し制御装置３１の制御下に球払出し装置３０(後述)に予め設定された数(実施例では３個)の賞球を払い出させるようになっている。また、始動入賞検出センサによるパチンコ球の検出を契機として主制御装置３６から後述する統括制御装置３５に制御信号が出力され、該統括制御装置３５の制御下に演出表示制御装置３４(後述)が制御されて前記図柄表示装置１４で図柄変動(ドラム１４ａの回転)が開始されるようになっている。
【００２０】
前記特別入賞装置２２は、図３に示す如く、前記始動入賞装置２１の下側の遊技領域１２ａに臨むように設けられたものであって、該特別入賞装置２２には、遊技領域１２ａを流下するパチンコ球が入賞可能な特別入賞口、該特別入賞口を常には閉鎖する開閉可能な開閉扉および特別入賞口へ入賞したパチンコ球を検出する特別入賞検出センサ(図示せず)が設けられる。特別入賞装置２２は、前記図柄表示装置１４での図柄変動の結果、図柄表示装置１４に所定の図柄組み合わせ(例えば同一図柄の三つ揃い等)で図柄が停止表示されることで所謂「大当り」が発生し、これにより開閉扉が開放するよう作動制御されて、遊技者が賞球を獲得し得る機会が与えられるよう構成されている。なお、特別入賞検出センサは、主制御装置３６に配線接続されており、特別入賞検出センサがパチンコ球を検出すると検出信号を主制御装置３６に出力し、主制御装置３６は、払出し制御装置３１に制御信号を出力し、該払出し制御装置３１の制御下に球払出し装置３０に予め設定された数(実施例では１５個)の賞球を払い出させるようになっている。
【００２１】
前記普通入賞装置２３は、図３に示す如く、前記特別入賞装置２２の左右両側の遊技領域１２ａに臨むように夫々設けられたものであって、各普通入賞装置２３には、遊技領域１２ａに常に開口して該遊技領域１２ａを流下するパチンコ球が入賞可能な複数(実施例では２つ)の普通入賞口が設けられると共に、該普通入賞口へ入賞したパチンコ球を検出する普通入賞検出センサ(図示せず)が設けられる。普通入賞検出センサは、主制御装置３６に配線接続されており、普通入賞検出センサがパチンコ球を検出すると検出信号を主制御装置３６に出力し、該主制御装置３６は、払出し制御装置３１に制御信号を出力し、該払出し制御装置３１の制御下に球払出し装置３０に予め設定された数(実施例では特別入賞装置２２の左側の普通入賞口に入賞した場合は９個で右側の普通入賞口に入賞した場合は８個)の賞球を払い出させるようになっている。
【００２２】
前記パチンコ機１０には、図２に示す如く、前記中枠１３の裏側上部(図柄表示装置１４の上側)に位置して、設置枠台等に設けられた外部球供給設備から供給されるパチンコ球を貯留する球タンク２７が左右方向に延在するよう設けられている。また、中枠１３の裏側下部(図柄表示装置１４の下側)には、上下の球受け皿１６,１７に連通する球通出案内部２８が設けられている。パチンコ機１０では、球タンク２７と球通出案内部２８とが、各部材２７,２８における左側の端部間に架設された球通路ユニット２９を介して連通接続されており、該球通路ユニット２９に配設された球払出し装置３０の駆動により球タンク２７に供給されたパチンコ球を上下の球受け皿１６,１７へ給出し得るよう構成されている。
【００２３】
前記中枠１３(パチンコ機１０)における下枠体１３ｂの裏側には、パチンコ機１０の電源制御を行なう電源制御装置(電気装置)、球通路ユニット２９に配設した球払出し装置３０を駆動制御する払出し制御装置３１、中枠１３に設置された打球発射装置を駆動制御する発射制御装置等の各種制御装置(電気部品)が配設されている。電源制御装置、払出し制御装置３１、発射制御装置は、遊技盤１２の裏側に配設される後述する主制御装置３６にドッキングコネクタ３２を介して配線接続され、この主制御装置３６からの制御信号に基づいて所定の制御が実行される。前記中枠１３に配設される各種制御装置３１は、対応する基板を箱状のケースに収容した状態でユニット化され、該ケースが下枠体１３ｂの裏側の所定位置に取り付けられる。また、下枠体１３ｂの裏側には、前記球通路ユニット２９の下方に、球貸し機等の外部装置に接続されるインターフェース基板３３が配設されている。
【００２４】
図２に示す如く、前記設置部材２６に着脱可能に配設される図柄表示装置１４の上側に、該図柄表示装置１４を制御する演出表示制御装置３４が配設されると共に、該図柄表示装置１４の側方に臨む設置部材２６に、演出表示制御装置３４を制御すると共に、パチンコ機１０を発光演出する発光装置を発光制御したり、前枠１５に配設したスピーカの効果音出力制御を行なう等、パチンコ機１０の演出全体を制御する統括制御装置３５が配設されている。また設置部材２６には、図柄表示装置１４の下側に、パチンコ機１０の遊技全般および賞球の払出しを司る主制御装置(制御装置)３６が配設され、該主制御装置３６に統括制御装置３５が配線接続されている。主制御装置３６は、設置部材２６に配設した取付ベース３７の裏側に着脱自在に配設される。
【００２５】
前記遊技盤１２に配設された発光装置や前記演出表示制御装置３４が統括制御装置３５に配線接続されると共に、該統括制御装置３５が前記主制御装置３６に配線接続され、該主制御装置３６から導出する配線が、前記設置部材２６に配設されたドッキングコネクタ用の第１中継基板３８に電気的に接続される。また統括制御装置３５からは、主制御装置３６に接続する配線とは別の配線が導出し、該別の配線が第１中継基板３８に接続されている。なお、配線としては、発光装置や制御装置３４,３５,３６等に電源を供給する電源線および制御信号を送信する信号線がある。また、前記演出表示制御装置３４、統括制御装置３５、主制御装置３６は、対応する基板を箱状の基板ケースに収容した状態でユニット化され、該基板ケースが図柄表示装置１４や設置部材２６に取り付けられる。実施例では、前記演出表示制御装置３４、統括制御装置３５も電気部品として扱われる。
【００２６】
前記パチンコ機１０では、主制御装置３６から出力された制御信号(制御コマンド)に基づき、前記統括制御装置３５が演出表示制御装置３４に制御信号(制御コマンド)を出力し、該演出表示制御装置３４は入力された制御信号に基づいて図柄表示装置１４を制御して演出表示させる。またパチンコ機１０は、主制御装置３６から前記払出し制御装置３１に出力された制御信号に基づき、該払出し制御装置３１が球払出し装置３０を制御して所定数の賞球が払い出されるようになっている。なお、パチンコ機１０では、統括制御装置３５の制御信号に基づいて、各発光装置を発光させ、スピーカから効果音を出力するようになっている。前記演出表示制御装置３４、統括制御装置３５、主制御装置３６の各基板は、基本的には遊技に関する制御プログラムを記憶するＲＯＭ、遊技に関する各種情報を記憶するＲＡＭおよびＲＯＭに記憶されている制御プログラムを実行するＣＰＵを備えている。
【００２７】
(ドッキングコネクタ３２について)
前記パチンコ機１０では、遊技盤１２に配設された主制御装置３６(電気部品)と、前記中枠１３に配設された各種制御装置３１(電気部品)とを電気的に接続する手段として、中枠１３に対して遊技盤１２を組み付けることで電気的に接続するドッキングコネクタ３２を採用している。ドッキングコネクタ３２は、中枠１３側に設けられ、該中枠１３に配設された各種制御装置３１(具体的には制御基板)や前枠１５に配設したスピーカや発光装置等の電気部品に接続される第１コネクタ(図示せず)と、遊技盤１２側に設けられ、該遊技盤１２に配設された主制御装置３６および統括制御装置３５(具体的には主制御基板および統括制御基板)に接続する第２コネクタ３８ａとを備え、中枠１３に対して遊技盤１２を組み付けることによって、第１コネクタと第２コネクタ３８ａとが嵌合して電気的に接続するよう構成される。
【００２８】
図５,図７に示す如く、前記設置部材２６の右下角部に基板取着部２６ｂが設けられ、該基板取着部２６ｂに配設した前記第１中継基板３８に、前記第２コネクタ３８ａが接続口を後向きにして配設されている。第１中継基板３８には、該第１中継基板３８に設けられた電気回路によって第２コネクタ３８ａに接続する第１制御装置用コネクタ(電気部品)３８ｂが、該第２コネクタ３８ａの配設位置より左側において接続口を後向きにして配設されており、該第１制御装置用コネクタ３８ｂに、前記主制御装置３６が第１配線Ｈ１を介して接続される。また、第１中継基板３８には、該第１中継基板３８に設けられた電気回路によって第２コネクタ３８ａに接続する第２制御装置用コネクタ３８ｃが、該第２コネクタ３８ａの配設位置より上側において接続口を後向きにして配設されており、該第２制御装置用コネクタ３８ｃに、前記統括制御装置３５が第２配線Ｈ２を介して接続されている。そして、制御装置用コネクタ３８ｂ,３８ｃに接続する配線Ｈ１,Ｈ２は、後述する空間部Ｓから閉塞部材６１の配線挿通部６４に挿通されて空間部外に引き出されて、対応する制御装置３５,３６に接続されるようになっている。
【００２９】
(設置部３９について)
前記設置部材２６の裏側には、開口部２６ａより下側に設置部３９が設けられる。この設置部３９には、図５,図７に示す如く、左右方向に離間してベース用の第１被係止部４０および第１固定部４１が後方に向けて突設され、これら第１被係止部４０および第１固定部４１を介して取付ベース３７が設置部材２６に着脱自在に取り付けられるよう構成される。実施例では、設置部３９の左側に偏った位置に第１被係止部４０が設けられると共に、右側に偏った位置に第１固定部４１が設けられている。第１固定部４１は、前記第１中継基板３８に設けられた第１制御装置用コネクタ３８ｂより右側に位置して、第１固定部４１に右端部側が固定された取付ベース３７によって第１制御装置用コネクタ３８ｂの後側が覆われるよう構成される。
【００３０】
前記第１被係止部４０は、図５,図７,図９に示す如く、後方に突出して上下方向に所要長さで延在する受部４０ａと、該受部４０ａにおける右側面(第１固定部４１を向く側)の上下に離間する２箇所に設けられて設置部材２６の裏面との間に所定の隙間を画成するように右方に向けて延出する第１被係止受部４０ｂ,４０ｂと、両第１被係止受部４０ｂ,４０ｂの間で受部４０ａの右側に設けられて第１被係止受部４０ｂ,４０ｂの前端より前方に位置する第２被係止受部４０ｃとを備える。そして、第１被係止受部４０ｂ,４０ｂと第２被係止受部４０ｃとによって取付ベース３７の後述する第１係止部５１が係止されて、該取付ベース３７の前後および左方(第１固定部４１から離間する方向)への移動が規制されるよう構成される。
【００３１】
前記設置部３９における第１被係止部４０と第１固定部４１との間に臨む部位に、第２中継基板(遊技機構成部品)４２を着脱自在に保持する第１保持手段(保持手段)４３、主制御装置３６における主制御基板から分割されて主制御装置３６が司る機能の一部を担う分割基板を基板ケースに収容して構成された分割制御装置(電気部品、遊技機構成部品)４４を着脱自在に保持する第２保持手段(保持手段)４５および各種配線(遊技機構成部品)を係止するための複数の配線フック(保持手段)４６が設けられている。第２中継基板４２は、遊技盤１２に配設された各種の発光装置(電気部品)に配線を介して接続されると共に、第２中継基板４２が配線を介して前記統括制御装置３５に接続されている。また、分割制御装置(分割基板)４４には、遊技盤１２に配設された各種センサ(電気部品)に配線を介して接続されると共に、該分割制御装置４４が配線を介して前記主制御装置３６に接続される。そして、第２中継基板４２および分割制御装置４４(分割基板)と各種電気部品に接続される配線が、前記配線フック４６に係止されて設置部３９の裏面に沿って引き回されるようになっている。前記分割制御装置４４(分割基板)に配線を介して接続されるセンサとしては、特別入賞検出センサ、普通入賞検出センサ、ゲートセンサおよび不正検知用の磁気センサや電波センサ等がある。前記分割制御装置４４と主制御装置３６とを接続する配線は、複数のリード線を纏めたものであって、該配線については第３配線(遊技機構成部品)Ｈ３と指称する。そして、分割制御装置４４に一端が接続された第３配線Ｈ３が、後述する閉塞部材６１の配線挿通部６６を介して閉塞部材６１の上方に引き出された後に主制御装置３６に接続されるよう構成される。
【００３２】
前記第１保持手段４３は、第２中継基板４２の縁部に係合する複数の係合部と、該第２中継基板４２の縁部に係合する弾性変形能な係合フックとを備え、これら係合部と係合フックとによって第２中継基板４２を設置部３９に係脱自在に係合保持するよう構成される。また、第２保持手段４５は、分割制御装置４４を構成する基板ケースの縁部に係合する複数の係合部と、設置部３９に設けた固定部に対して該基板ケースを着脱自在に固定する固定具とを備え、これら係合部と固定具とによって分割制御装置４４を設置部３９に着脱自在に保持するよう構成される。なお、第２保持手段４５の固定具としては、後述する回転式や出没式の固定具を用いることができる。
【００３３】
前記設置部３９には、前記遊技盤１２における枠状装飾部材２０の下側に配設された前記始動入賞装置２１の配設位置に対応して、下端縁から上側に所定長さで延在する切欠部３９ａが前後方向および下方に開口するように形成されている(図７参照)。そして、始動入賞装置２１が備える２つの始動入賞検出センサに接続する配線が、該切欠部３９ａを介して設置部３９の裏側に引き出され、該配線が後述する閉塞部材６１の配線挿通部６５を介して閉塞部材６１の上方に引き出された後に主制御装置３６に接続されるよう構成される。また、始動入賞装置２１が備えるソレノイドに接続する配線も、始動入賞検出センサに接続される配線と纏められて切欠部３９ａおよび配線挿通部６５を介して閉塞部材６１の上方に引き出された後に主制御装置３６に接続される。実施例では、始動入賞装置２１が備える各種電気部品(始動入賞検出センサ、ソレノイド)と主制御装置３６とを接続する配線については第４配線(遊技機構成部品)Ｈ４と指称する。
【００３４】
(取付ベース３７について)
前記取付ベース３７は、図５および図６に示す如く、平板状のベース板４７と、該ベース板４７の下端縁部から前側に延出するように設けられる下壁４８と、該ベース板４７における左右両側の縁部から前側に延出するように設けられる左壁(第１側壁)４９および右壁(第２側壁)５０とを備えており、当該取付ベース３７は全体として前方および上方に開放する箱状に形成されている。左壁４９に第１係止部５１が設けられると共に、右壁５０に第１係合部５２が設けられている。第１係止部５１は、図６に示す如く、左壁４９から外側方に延出すると共に上下方向に離間する一対の規制片５１ａ,５１ａと、両規制片５１ａ,５１ａ間に架設された係止部材５１ｂとを備え、該係止部材５１ｂを、第１被係止部４０の第１被係止受部４０ｂ,４０ｂおよび第２被係止受部４０ｃの間に右側から差し込むことで該被係止受部４０ｂ,４０ｂ,４０ｃに係止部材５１ｂが係止されるよう構成される(図９参照)。そして、第１係止部５１を第１被係止部４０に係止した状態で、取付ベース３７の第１係合部５２が設置部材２６の第１固定部４１の後側に整合するよう構成される。なお、係止部材５１ｂを被係止受部４０ｂ,４０ｂ,４０ｃに係止した状態で、一対の規制片５１ａ,５１ａが一対の第１被係止受部４０ｂ,４０ｂを上下で挟む位置に臨んで、取付ベース３７の上下方向の移動が規制されるようになっている。
【００３５】
前記第１係合部５２は、図６に示す如く、前方に開口する有底の筒状に形成されており、設置部３９に設けた前記第１固定部４１の後端部が該第１係合部５２に挿入された状態で係合するよう構成される。また、第１係合部５２の底部(後端部)には、前後方向に貫通する通孔(図示せず)が形成されており、該通孔に第１固定具５３が支持されている。そして、取付ベース３７の第１係止部５１を設置部３９に設けた第１被係止部４０に係止すると共に、第１係合部５２を設置部３９に設けた第１固定部４１の後端部に係合させた状態で、第１係合部５２と第１固定部４１とを第１固定具５３によって固定することで、取付ベース３７は、設置部３９に設けられている配線フック４６や該設置部３９に取り付けられている分割制御装置４４および前記第１制御装置用コネクタ３８ｂ等の後側をベース板４７で覆う状態で位置決め固定される(図９,図１０参照)。実施例の第１固定具５３は、第１固定部４１に設けた後方に開口する孔に挿脱自在な固定突部を備え、該固定突部を孔に挿通した状態で当該第１固定部４１を回転することによって、固定突部が第１固定部４１に係合して第１係合部５２を第１固定部４１に固定する状態と、固定突部の第１固定部４１に対する係合が解除されて第１係合部５２の第１固定部４１からの取り外しを許容する状態とに変化するよう構成される。なお、第１固定具５３としては、回転式に限らず、その他の方式の固定具を採用可能である。また、取付ベース３７は、第１係止部５１を第１被係止部４０に係止すると共に、第１係合部５２を第１固定部４１に係合した状態で、設置部３９に対して上下方向および左右方向への移動が規制されるよう構成してある。
【００３６】
図４,図９および図１０に示す如く、前記取付ベース３７を設置部３９に位置決め固定した状態で、前記ベース板４７と設置部３９との対向部間に、前記分割制御装置４４や配線フック４６および第１制御装置用コネクタ３８ｂ等が収容される空間部Ｓが画成される。また、左壁４９、右壁５０および下壁４８の前端は、設置部３９の裏面に接触するか僅かな隙間をあけて位置しており、これら壁４８,４９,５０の前端と設置部３９との間から空間部Ｓへの不正基板等の異物が挿入されないよう構成してある。設置部３９に取付ベース３７を取り付けた状態で、該設置部３９の下端部に設けた前記切欠部３９ａは下壁４８より上方まで延在しており、前記始動入賞装置２１の電気部品に接続する第４配線Ｈ４は、切欠部３９ａを介して空間部Ｓ内に引き込まれるよう構成される。また、右壁５０には、前記第１係合部５２に隣接して(実施例では下側の隣接位置)、右方および前方に向けて開口する導入路を画成する導入部５４が設けられており(図６参照)、前記第１中継基板３８の第２制御装置用コネクタ３８ｃに接続する第２配線Ｈ２は、該導入部５４で画成される導入路を介して空間部Ｓに引き込まれるよう構成される。なお、導入部５４における右方(外方)への開口寸法および切欠部３９ａにおける下側の開口寸法は、何れも対応する配線Ｈ２,Ｈ４を挿通した状態で、不正基板等の異物が挿入されることのない大きさに設定されている。
【００３７】
前記ベース板４７の上縁部と設置部３９との間に、空間部Ｓを上方に開口する隙間Ｇが画成される。この隙間Ｇは、設置部３９とベース板４７との間において左右方向に長手が延在する略矩形状に開口するように画成されており、該隙間Ｇに、後述する閉塞部材６１が位置して隙間Ｇにおける開口領域を狭めるよう構成される。また、ベース板４７の縁部に設けられて前側に延出する前記各壁４８,４９,５０は、前記空間部Ｓの左右両側および下側を塞ぐ閉塞部材として機能するものであって、これら３つの壁４８,４９,５０は侵入抑制手段を構成する。なお、実施例では、下壁４８および左壁４９が、前記空間部Ｓの内外方向に配線を延在させるための配線挿通部を形成していない閉塞部材である。
【００３８】
前記ベース板４７の裏面には、左端部に制御装置用の第２被係止部５５が設けられると共に、右端部に制御装置用の第２固定部５６が設けられており、これら第２被係止部５５および第２固定部５６を介して主制御装置３６が取付ベース３７に対して着脱自在に取り付けられるよう構成される。第２被係止部５５は、ベース板４７の裏面から後方に突出すると共に、右側(第２固定部側)に開口する係止孔５５ａが開設されており、主制御装置３６の後述する第２係止部５８を係止孔５５ａに差し込むことで、該第２係止部５８を第２被係止部５５で係止するようになっている。
【００３９】
(主制御装置３６について)
前記主制御装置３６は、主制御基板を、前半体と後半体とからなる基板ケース５７に収容して構成されている。基板ケース５７を構成する前半体および後半体は、開封方向への回転が困難に形成されたねじで連結することで、主制御基板を封入し、前記ねじによる締結部位を破壊しない限り基板ケース５７の開放を阻止する構成を採用することで、主制御基板の不正交換を抑止するようにしている。また、図６に示す如く、基板ケース５７の左端部に、第２係止部５８が設けられると共に、該基板ケース５７の右端部に、第２係合部５９が設けられている。第２係止部５８は、前記第２被係止部５５の係止孔５５ａに対して挿脱自在な平板状に形成されており、該第２係止部５８を係止孔５５ａに差し込んで第２被係止部５５に係止した状態で、主制御装置３６の上下および左方への移動が規制されるよう構成される。そして、第２係止部５８を第２被係止部５５に係止した状態で、主制御装置３６の第２係合部５９が取付ベース３７の第２固定部５６の後側に整合するようになっている。
【００４０】
前記第２係合部５９は、図６に示す如く、前方に開口する有底の筒状に形成されており、取付ベース３７に設けた前記第２固定部５６の後端部が該第２係合部５９に挿入されて係合するよう構成される。また、第２係合部５９の底部(後端部)には、前後方向に貫通する通孔(図示せず)が形成されており、該通孔に第２固定具６０が支持されている。そして、主制御装置３６の第２係止部５８を取付ベース３７に設けた第２被係止部５５に係止すると共に、第２係合部５９を取付ベース３７に設けた第２固定部５６の後端部に係合させた状態で、第２係合部５９と第２固定部５６とを第２固定具６０によって固定することで、該主制御装置３６は、取付ベース３７(ベース板４７)の裏側に位置決め固定される(図８参照)。実施例の第２固定具６０は、第２固定部５６に設けた後方に開口する孔に挿脱自在な拡縮突部を備え、該拡縮突部を孔に挿通した状態で当該第２固定具６０を第２固定部５６に向けて押圧することによって、拡縮突部が拡開して第２固定部５６に係合して第２係合部５９を第２固定部５６に固定する状態と、該第２固定具６０を第２固定部５６から離間することによって、拡縮突部が縮小して第２固定部５６に対する係合が解除されて第２係合部５９の第２固定部５６からの取り外しを許容する状態とに変化するよう構成される。なお、第２固定具６０としては、出没式に限らず、前記第１固定具５３と同様の回転式や、その他の方式の固定具を採用可能である。また、主制御装置３６は、第２係止部５８を第２被係止部５５に係止すると共に、第２係合部５９を第２固定部５６に係合した状態で、取付ベース３７(ベース板４７)に対して上下方向および左右方向への移動が規制されるよう構成してある。
【００４１】
(閉塞部材６１について)
前記設置部３９には、該設置部３９に取り付けた取付ベース３７における前記隙間Ｇに臨むように閉塞部材(侵入抑制手段)６１が着脱自在に取り付けられる。この閉塞部材６１は、図８に示す如く、前記ベース板４７と設置部３９との間に画成される隙間Ｇの左右方向の寸法と略同じ寸法で左右方向に延在する長尺な板状の本体部６２を備える。本体部６２の下側には、長手方向に離間する複数箇所(実施例では３箇所)に、設置部３９に対する取着部６３が設けられている。この取着部６３は、前方に向けて開口する有底の筒状に形成されると共に、該取着部６３の底部(後端部)には前後方向に貫通する通孔６３ａが形成されている。これに対し、設置部３９には、各取着部６３に対応する位置において後方に突出するボス３９ｂが設けられており、各ボス３９ｂが取着部６３に挿入された状態で、通孔６３ａに挿通したネジをボス３９ｂに設けたネジ孔に螺挿することで、閉塞部材６１は、本体部６２の前端が設置部３９に当接した状態で取り付けられる。本体部６２の前後方向の幅寸法は、隙間Ｇの前後方向の幅寸法と略同じか僅かに小さく設定されており、閉塞部材６１を取り付けた設置部３９に取付ベース３７を取り付けた際に、前記隙間Ｇは後述する配線挿通部６４,６５,６６を除く領域が略閉塞されるよう構成される。また、閉塞部材６１を取り付けた設置部３９に取付ベース３７を取り付けた状態で、前記ベース板４７によって各取着部６３の後側が覆われて、該取付ベース３７を取り外さない限り、閉塞部材６１と設置部３９とを固定するネジへのアクセクができないよう構成してある。
【００４２】
前記本体部６２の左側端に、下方に所定長さで垂下する側壁６２ｂが設けられている。前記取付ベース３７の左壁４９は、図６に示す如く、上端部から下方に所定長さだけ切欠かれており、設置部３９の閉塞部材６１および取付ベース３７を取り付けた状態で、本体部６２の側壁６２ｂが左壁４９の切欠部分に臨むよう構成される。すなわち、実施例では、空間部Ｓの左側部の隙間は、取付ベース３７の左壁４９と閉塞部材６１の側壁６２ｂとによって塞がれるよう構成してある。なお、閉塞部材６１の右端部は、後端が前側に凹む段状に形成されており、該段部に、前記取付ベース３７の対向する右端部前側に設けられた凸部３７ａが臨むよう構成される(図８参照)。
【００４３】
前記閉塞部材６１の本体部６２には、設置部３９に取り付けた状態で、該設置部３９に取り付けた前記第２中継基板４２に対応する位置に、該第２中継基板４２との干渉を避けるために下側に凹む凹部６２ａが設けられている。また本体部６２には、前記空間部Ｓと外部とを連通する配線挿通部６４,６５,６６が、長手方向に離間する複数箇所に設けられている。実施例では、配線挿通部６４,６５,６６が３箇所に設けられており、該閉塞部材６１を設置部３９に取り付けた状態で、前記第１中継基板３８に近接する側から離間する側に順に第１配線挿通部６４、第２配線挿通部６５、第３配線挿通部６６と指称するものとする。
【００４４】
前記第１配線挿通部６４は、図５〜図７に示す如く、本体部６２を後方および上下方向に開口するように切欠いて形成されている。本体部６２の後端縁から下方に向けて垂設された後壁に、第１配線挿通部６４の後開口部に臨んで該後開口部を部分的に塞ぐ第１支持片６７が上下に離間して設けられている。第１支持片６７,６７は弾性変形可能に構成されており、該第１支持片６７,６７を弾性変形させつつ支持片間の隙間を広げることで、前記第１配線Ｈ１および第２配線Ｈ２を後側から第１配線挿通部６４内に臨ませ得るよう構成される。そして、第１配線挿通部６４に挿通された第１配線Ｈ１および第２配線Ｈ２は、第１支持片６７,６７によって後方へ抜けるのが規制された状態で第１配線挿通部６４内で支持されて空間部Ｓの内外方向に延在するよう構成される。
【００４５】
前記第２配線挿通部６５は、図５に示す如く、本体部６２を後方および上下方向に開口するように切欠いて形成されており、本体部６２の下面に垂設された第２支持片６８が、第２配線挿通部６５の後方開口部を部分的に塞ぐように位置している。第２支持片６８は弾性変形するよう形成されたものであって、該第２支持片６８を弾性変形しつつ本体部６２との隙間を広げて後側から前記第４配線Ｈ４を第２配線挿通部６５内に臨ませ得るよう構成される。そして、第２配線挿通部６５に挿通された第４配線Ｈ４は、第２支持片６８によって後方へ抜けるのが規制された状態で第２配線挿通部６５内で支持されて空間部Ｓの内外方向に延在するよう構成される。
【００４６】
前記第３配線挿通部６６は、図５および図６に示す如く、本体部６２を後方および上下方向に開口するように切欠いて形成されており、前記分割制御装置４４に接続された第３配線Ｈ３を後方開口から第３配線挿通部６６内に臨ませ得るよう構成される。そして、第３配線挿通部６６に挿通された第３配線Ｈ３は、設置部３９に取り付けた取付べース３７のベース板４７によって後方へ抜けるのが規制された状態で第３配線挿通部６６内で支持されて空間部Ｓの内外方向に延在するよう構成される。
【００４７】
前記第１配線挿通部６４、第２配線挿通部６５および第３配線挿錯部６６の上下方向の開口寸法は、図８に示す如く、対応する配線Ｈ１,Ｈ２,Ｈ４,Ｈ３を挿通した状態で、該配線Ｈ１,Ｈ２,Ｈ４,Ｈ３と配線挿通部６４,６５,６６の内周面との間の隙間の幅が、パチンコ球(遊技球)１個分より小さくなるように設定されている。これにより、前記球タンク２７等から落下したパチンコ球が配線挿通部６４,６５,６６を介して空間部Ｓに侵入するのを防止し得るようになっている。また、配線Ｈ１,Ｈ２,Ｈ４,Ｈ３と対応する配線挿通部６４,６５,６６の内周面との間の隙間は、不正基板の空間部Ｓへの挿入が困難な大きさとなっている。
【００４８】
ここで、「閉塞部材６１で隙間Ｇを閉塞する」とは、隙間Ｇの全体が完全に塞がれた状態に限らず、パチンコ球や不正基板等の異物が隙間Ｇを介して空間部Ｓに侵入するのを阻止し得る状態まで隙間Ｇの開口領域を狭める状態となるように閉塞部材６１を隙間Ｇに臨ませる構成を含むものである。そして、設置部３９に取り付けた取付ベース３７と設置部３９との間に画成される空間部Ｓに対し、パチンコ球や不正基板等の異物侵入(挿入)を閉塞部材６１によって困難としている。
【００４９】
(設置部材２６と主制御装置３６との連結構造について)
前記主制御装置３６の基板ケース５７には、前記第２係合部５９に隣接して連結部６９が設けられると共に、該連結部６９に前後方向に貫通する第１通孔６９ａが形成されている。この第１通孔６９ａは、前側から後側に向かうにつれて拡開するように形成される。また、前記設置部材２６における設置部３９には、取付ベース３７に位置決め固定した基板ケース５７の第１通孔６９ａから右方に離間した位置に、図１０に示す如く、後方に突出する保持部７０が設けられ、該保持部７０に、左右方向(第１通孔６９ａに対する近接・離間方向)に貫通する第２通孔７０ａが形成されている。そして、第１通孔６９ａおよび第２通孔７０ａに挿通されて環状とした合成樹脂製の締結バンド(連結手段)７１によって、基板ケース５７(主制御装置３６)が設置部材２６に対して取り外しが困難となる状態で連結される。
【００５０】
前記保持部７０は、図７,図１０に示す如く、前記設置部材２６の裏面から突出する台部７０ｂと、該台部７０ｂにおける左右方向の中間から後方に突出するアーチ部７０ｃとを備え、台部７０ｂの後面とアーチ部７０ｃとによって前記第２通孔７０ａが画成される。なお、基板ケース５７を設置部材２６に位置決め固定した状態での第１通孔６９ａの前側の開口位置は、前記保持部７０の台部７０ｂにおける後面より後方に位置している。
【００５１】
(締結バンド７１について)
前記締結バンド７１は、図５に示す如く、細長状のバンド本体７２と、該バンド本体７２の一端側に設けた係合部７３と、前記バンド本体７２の他端側に設けた締結部７４と、該締結部７４に形成した締結孔７４ａ内に設けられ、前記係合部７３に係合可能な被係合部とを備えている。バンド本体７２は、前記第１通孔６９ａおよび第２通孔７０ａにおける内部の上下幅より細幅に設定された挿入部７２ａと、該挿入部７２ａより幅広に設定されて締結部７４から一端側に向けて所定長さで延在する規制部７２ｂとを備え、該バンド本体７２は、前記第１通孔６９ａおよび第２通孔７０ａに挿通可能な幅寸法に設定されている。
【００５２】
前記締結部７４は、図５,図１０に示す如く、前記規制部７２ｂの他端に連設されて、該規制部７２ｂ(バンド本体７２)の表面から所定長さで突出する柱状の部分であって、該締結部７４は、前記第１通孔６９ａおよび第２通孔７０ａに挿通不能な大きさに設定されている。また締結部７４には、バンド本体７２の表裏方向に貫通する前記締結孔７４ａが穿設されており、該締結孔７４ａは、前記挿入部７２ａが挿入可能な寸法に設定される。そして、締結バンド７１は、前記締結孔７４ａに挿入部７２ａを挿入することで被係合部と係合部７３とが締結孔７４ａ内で強固に係合して、締結孔７４ａに挿入した挿入部７２ａの締結孔７４ａからの抜き外しは極めて困難となり、挿入部７２ａを締結孔７４ａから抜け止め状態に保持し得るよう構成される。なお、締結バンド７１には、専用の検査装置によって読み取り可能な識別部が設けられており、該検査装置で締結バンド７１を検査することで該バンド７１が正規品であるか否かを判別し得るようになっている。
【００５３】
(取付ベース３７のガイド部７５について)
前記取付ベース３７の右壁５０には、前記第１係合部５２に隣接してガイド部７５が設けられている。このガイド部７５は、設置部３９に対して取付ベース３７を取り付けた状態で、図１０に示す如く、前記基板ケース５７の連結部６９と設置部材２６の保持部７０との間に臨んで、前記締結バンド７１における挿入部７２ａの第１通孔６９ａへの挿通を該ガイド部７５で案内するよう構成される。ガイド部７５には、図１０に示す如く、左右方向に延在する案内面７５ａが形成されている。この案内面７５ａにおける保持部側の端部は、保持部７０における台部７０ｂの後面より前側に位置すると共に、該案内面７５ａにおける連結部側の端部は連結部６９の前側に臨んでいる。また、案内面７５ａにおける連結部側の所定領域は、連結部６９に近接するにつれて後方に湾曲するよう形成されると共に、その端部は第１通孔６９ａを画成する右内側面より内側(左側)に位置するよう設定される。これにより、前記第２通孔７０ａに右側から挿通された締結バンド７１の挿入部７２ａを案内面７５ａで案内して第１通孔６９ａにスムーズに挿通させ得るよう構成される。
【００５４】
〔実施例の作用〕
次に、前述のように構成された実施例に係るパチンコ機１０の作用につき説明する。
【００５５】
前記閉塞部材６１は、各取着部６３に対応するボス３９ｂを挿入して設置部３９に位置決めした状態で、各取着部６３をネジによってボス３９ｂに固定することで設置部３９に位置決め固定される。設置部３９に取り付けられた閉塞部材６１に対し、前記第１制御装置用コネクタ３８ｂに一端が接続する第１配線Ｈ１を、第１支持片６７,６７を弾性変形させて第１配線挿通部６４に挿通して、該第１配線Ｈ１の他端を閉塞部材６１の上方に延出させる(図７参照)。また、前記第２制御装置用コネクタ３８ｃに一端が接続する第２配線Ｈ２を、同じく第１支持片６７,６７を弾性変形させて第１配線挿通部６４に挿通して、該第２配線Ｈ２の他端を閉塞部材６１の上方に延出させる(図７参照)。
【００５６】
また、前記始動入賞装置２１の電気部品に一端が接続する第４配線Ｈ４を、設置部３９の切欠部３９ａを介して該設置部３９の裏側に引き出すと共に、該第４配線Ｈ４を、第２支持片６８を弾性変形させて第２配線挿通部６５に挿通して、該第４配線Ｈ４の他端を閉塞部材６１の上方に延出させる(図７参照)。更に、前記第２保持手段４５に保持されている分割制御装置４４に一端が接続する第３配線Ｈ３を、第３配線挿通部６６に挿通して、該第３配線Ｈ３の他端を閉塞部材６１の上方に延出させる(図７参照)。なお、分割制御装置４４と各種センサとを接続する配線は、閉塞部材６１より下側の設置部３９に設けられた配線フック４６に係止されて、設置部３９の裏面に沿って引き回されている。
【００５７】
前記各配線Ｈ１,Ｈ２,Ｈ３,Ｈ４の他端を夫々閉塞部材６１の上方に引き出した状態で、前記設置部材２６における設置部３９に取付ベース３７を取り付ける。この取付ベース３７の取り付けに際しては、設置部３９の裏面にベース板４７の前面を対向した状態で、前記第１係止部５１を設置部３９に設けた前記第１被係止部４０における第１被係止受部４０ｂ,４０ｂと第２被係止受部４０ｃとの間に挿入することで、取付ベース３７の左端部が設置部３９に対して係止される。また、第１係止部５１の規制片５１ａ,５１ａが一対の第１被係止受部４０ｂ,４０ｂを挟んで位置し、当該取付ベース３７の左端部は左方、前後および上下方向への移動が規制された状態で設置部３９に対して位置決めされる。このとき、取付ベース３７の第１係合部５２が、設置部３９の第１固定部４１の後側に係合するので、該第１係合部５２に支持している第１固定具５３によって第１固定部４１に第１係合部５２を固定することで、設置部３９(設置部材２６)に対して取付ベース３７は所定位置に位置決め固定される。なお、設置部材２６の設置部３９に取付ベース３７を取り付けるに際しては、前記第２配線Ｈ２における第２制御装置用コネクタ３８ｃとの接続部近傍を取付ベース３７の導入部５４の前側に臨ませておくことで、該第２配線Ｈ２は部分的に空間部内に収容される。
【００５８】
前記設置部材２６の設置部３９に取付ベース３７を取り付けることで、該設置部３９に設けられている配線フック４６や第２保持手段４５および該配線フック４６や第２保持手段４５に保持されている配線や分割制御装置４４の後方は取付ベース３７で覆われて保護される。また、前記第１中継基板３８に設けられている第１制御装置用コネクタ３８ｂも取付ベース３７で覆われており、前記第１配線Ｈ１における第１制御装置用コネクタ３８ｂから第１配線挿通部６４まで引き回されている部分は空間部Ｓ内に収容されて保護される。前記取付ベース３７の左右の壁４９,５０および下壁４８の前端が、設置部３９の裏面に近接して隙間を塞ぎ、取付ベース３７のベース板４７と設置部３９の対向部間に画成される空間部Ｓに対して左右の側部および下部からのアクセス(不正基板等の異物の挿入)を防止することができる。実施例では、ベース板４７と設置部３９の対向部間に画成される空間部Ｓの左右側部および下部の隙間を塞ぐ閉塞部材として機能する壁４９,５０,４８を取付ベース３７に設けてあるので、隙間を塞ぐための部材を設置部３９に取り付ける構造を設ける必要はなく、該設置部３９の構成を簡略化し得る。
【００５９】
また、前記設置部材２６の設置部３９に取付ベース３７を取り付けた状態で、前記閉塞部材６１が、図４,図８に示す如く、前記ベース板４７の上縁部と設置部３９との対向部間に画成される前記隙間Ｇに位置して、該隙間Ｇを略閉塞する。これにより、隙間Ｇを介して不正基板等の異物を空間部Ｓに挿入されるのを防止することができる。また、閉塞部材６１の各配線挿通部６４,６５,６６に対応する配線Ｈ１,Ｈ２,Ｈ３,Ｈ４を挿通した状態で、該配線Ｈ１,Ｈ２,Ｈ３,Ｈ４と対応する配線挿通部６４,６５,６６の内周面との隙間は、パチンコ球１個分より小さくなっているので、該配線挿通部６４,６５,６６からパチンコ球が空間部Ｓに侵入するのも防ぐことができる。
【００６０】
実施例では、前記設置部３９とベース板４７との対向部間に画成される空間部Ｓに対して配線Ｈ１,Ｈ２,Ｈ３,Ｈ４を内外方向に延在させるための配線挿通部６４,６５,６６を形成した閉塞部材６１を、取付ベース３７とは別体として予め設置部３９に取り付けるよう構成した。これにより、設置部３９に取付ベース３７を取り付ける際に、配線Ｈ１,Ｈ２,Ｈ３,Ｈ４を設置部３９との間で挟まないように注意して作業を行う必要はなく、作業性が向上する。また、取付ベース３７を設置部３９に取付けた状態で空間部Ｓ内に臨む分割制御装置４４と各種センサとを接続した状態で、該取付ベース３７を取り付けたり取り外すことが容易にできる。
【００６１】
前記設置部材２６の設置部３９に位置決め固定した取付ベース３７に主制御装置３６を取り付けるに際しては、取付ベース３７の裏面に前記基板ケース５７の前面を対向すると共に、前記第２係止部５８を取付ベース３７に設けた前記第２被係止部５５の係止孔５５ａに差し込むことで、基板ケース５７の左端部が設置部材２６に対して左方、前後および上下方向への移動が規制された状態で取付ベース３７に位置決めされる。このとき、基板ケース５７の第２係合部５９が、取付ベース３７の第２固定部５６の後側に係合するので、該第２係合部５９に支持している第２固定具６０によって第２固定部５６に第２係合部５９を固定することで、取付ベース３７に対して主制御装置３６は所定位置に位置決め固定される。そして、前記閉塞部材６１の上方に引き出しておいた各配線Ｈ１,Ｈ３,Ｈ４を、主制御装置３６に接続する。
【００６２】
次に、前記基板ケース５７と設置部材２６とを締結バンド７１で連結する工程を説明する。設置部材２６の設置部３９に取付ベース３７を取り付けると共に、該取付ベース３７に主制御装置３６を取り付けた状態で、設置部材２６の保持部７０の左側に取付ベース３７のガイド部７５が位置すると共に、該ガイド部７５の後側に主制御装置３６の連結部６９に形成した第１通孔６９ａが臨んでいる(図１０参照)。従って、前記締結バンド７１の表面を設置部材２６の裏面に対向する姿勢とした状態で、該締結バンド７１における挿入部７２ａを、保持部７０の第２通孔７０ａに右側から挿通することで、該挿入部７２ａがガイド部７５の案内面７５ａで案内されて第１通孔６９ａに挿通されて連結部６９から後方に延出する。
【００６３】
前記連結部６９から後方に延出した挿入部７２ａを、前記締結部７４の締結孔７４ａに挿入し、該締結孔７４ａから外方に延出した挿入部７２ａを更に引っ張ることで、該挿入部７２ａに設けた前記係合部７３が締結孔７４ａ内の被係合部に係合する。すなわち、締結バンド７１は、図１０に示す如く、第１通孔６９ａと第２通孔７０ａとに挿入部７２ａが挿通された環状になった状態で、該挿入部７２ａを締結孔７４ａから抜き外すのは困難な状態に保持される。これにより、締結バンド７１を切断(破壊)して通孔６９ａ,７０ａから引き抜かない限り、取付ベース３７(設置部材２６)に対して主制御装置３６(基板ケース５７)を取り外すのは困難となり、主制御装置３６を不正に取り外して偽装品と交換するのを抑制し得る。また、取付ベース３７に対して主制御装置３６が取り外せない状態では、該取付ベース３７における第１係合部５２の第１固定部４１に対する係合を解除する後方への取付ベース３７の移動、および取付ベース３７における第１係止部５１の第１被係止部４０に対する係止を解除する方向への取付ベース３７の移動は夫々規制されているので、該取付ベース３７についても締結バンド７１によって設置部材２６に対して取り外しが阻止された状態となっている。従って、取付ベース３７を設置部材２６から取り外して、前記空間部Ｓに不正基板等を隠されるのを防止することができる。また、締結バンド７１を切断した場合は、新しい締結バンドを取り付けない限り、該バンドが無いことによって不正の痕跡が残るので、不正行為を発見することが容易である。
【００６４】
更に、前記締結バンド７１には、専用の検査装置によって読み取り可能な識別部を備えているので、外観だけを模倣して識別部を備えていない不正な締結バンドに交換されていても、検査装置によって容易に正規品か否かを判別することができる。
【００６５】
(別実施例について)
図１１は、主制御装置３６と設置部材２６とを連結する部分の別実施例を示すものであって、基本的な構成は前記実施例と同じであるので、実施例と同一の部材や部分には同じ符号を付して異なる部分についてのみ説明する。
【００６６】
別実施例では、図１１に示す如く、前記取付ベース３７におけるガイド部に相当する部分に通孔形成部７６を設け、該通孔形成部７６に第３通孔７６ａが形成されている。そして、前記締結バンド７１の挿入部７２ａを、設置部材２６の第２通孔７０ａ、取付ベース３７の第３通孔７６ａおよび主制御装置３６の第１通孔６９ａに挿通した状態で、係合部７３を被係合部に係合して環状とすることで、設置部材２６、取付ベース３７および主制御装置３６を締結バンド７１で連結するよう構成してある。
【００６７】
また、前記第１通孔６９ａ、第２通孔７０ａおよび第３通孔７６ａに挿通して環状とした締結バンド７１で保持部７０、通孔形成部７６および連結部６９を連結した状態では、締結バンド７１の内側と保持部７０、通孔形成部７６および連結部６９との間に略隙間がないよう構成される。すなわち、締結バンド７１で連結した状態で保持部７０に対して連結部６９や通孔形成部７６が移動し得る範囲は僅かであって、主制御装置３６を取付ベース３７から後方へ離間する移動が締結バンド７１によって規制され、前記第２係合部５９の第２固定部５６に対する係合を解除し得ないよう設定される。従って、主制御装置３６を横方向(右方向)に移動して前記第２係止部５８を第２被係止部５５の係止孔５５ａから抜き外すことができず、設置部材２６および取付ベース３７に締結バンド７１で主制御装置３６を連結させた状態のまま、該主制御装置３６を取付ベース３７および設置部材２６から取り外す不正行為を抑制し得る。また、取付ベース３７に対して主制御装置３６が取り付けられた状態では、実施例と同様に設置部材２６に対して取付ベース３７を取り外すことは困難であるので、取付ベース３７と設置部３９との間の空間部Ｓに不正基板を隠す不正行為を防止し得る。
【００６８】
(変更例)
本願は前述した実施例の構成に限定されるものではなく、その他の構成を適宜に採用することができる。
(1) 実施例では、設置部に取り付けられる閉塞部材と、取付ベースに形成される壁とによって設置部と取付ベースとの間に画成される空間部への異物侵入を抑制するよう構成したが、閉塞部材を取付ベースに着脱自在または一体的に設ける構成であってもよい。また、設置部と取付ベースの縁部との間に生ずる隙間を閉塞する部材の全てを設置部に着脱自在または一体的に設ける構成を採用可能である。
(2) 実施例では、設置部材における図柄表示装置の配設位置より下側に、取付ベースを取り付けるための設置部を設けたが、該設置部は図柄表示装置の上側または左右何れかの側に設けたものであってもよい。
(3) 閉塞部材に設ける配線挿通部の数や位置は、空間部の内外方向に引き回す必要のある配線の数や位置に応じて設定することができる。
(4) 実施例では閉塞部材に配線挿通部を設けたが、該配線挿通部を設けないものであってもよい。
(5) 実施例では、設置部材に対して主制御装置を締結バンドで連結することで、該設置部材と主制御装置との間で挟持される取付ベースの設置部材からの取り外しを阻止するよう構成したが、設置部材と主制制御置とを連結する締結バンドとは別の締結バンドによって設置部材と取付ベースとを連結する構成を採用し得る。
(6) 設置部材に対して取付ベースや主制御装置を連結する連結手段は、実施例の締結バンドに限定されるものではなく、開封方向への回転が困難に形成されたねじ等、連結部位を破壊しない限り連結状態を解除し得ないその他の手段を採用することができる。
(7) 閉塞部材の形状は、取付ベースと設置部との対向部間に画成される隙間の形状に合わせた形状とすればよい。また閉塞部材は、一つの部材である必要はなく、複数の閉塞体を組み合わせて構成したものであってもよい。
(8) 遊技機としては、パチンコ機に限られるものではなく、アレンジボール機やパチンコ球を用いたスロットマシン等、その他各種の遊技機であってもよい。
【符号の説明】
【００６９】
１２ 遊技盤，１２ａ 遊技領域，１４ 図柄表示装置，１４ａ ドラム(表示部)
２０ａ 開口部(可視部)，２６ 設置部材，３６ 主制御装置(制御装置)
３７ 取付ベース，３９ 設置部，４４ 分割制御装置(遊技機構成部品)
４５ 第２保持手段(保持手段)，４６ 配線フック(保持手段)
４８ 下壁(侵入抑制手段，閉塞部材)，４９ 左壁(侵入抑制手段，閉塞部材)
５０ 右壁(侵入抑制手段，閉塞部材)，６１ 閉塞部材(侵入抑制手段)
６４ 第１配線挿通部(配線挿通部)，６５ 第２配線挿通部(配線挿通部)
６６ 第３配線挿通部(配線挿通部)，７１ 締結バンド(連結手段)，Ｓ 空間部
Ｇ 隙間
【図１】
2014223212.tif 000003
【図２】
2014223212.tif 000004
【図３】
2014223212.tif 000005
【図４】
2014223212.tif 000006
【図５】
2014223212.tif 000007
【図６】
2014223212.tif 000008
【図７】
2014223212.tif 000009
【図８】
2014223212.tif 000010
【図９】
2014223212.tif 000011
【図１０】
2014223212.tif 000012
【図１１】
2014223212.tif 000013